(57)【要約】      （修正有）【課題】オプション部材の幅方向の配置位置が決めやすく、オプション部材が重いものでも適切に支持することができ、更に移動時に本等が天板から落下しないデスクを実現する。【解決手段】デスクは、天板１と、天板を支持する脚２を有し、天板の縁に沿って延びる起立壁６と、起立壁の上から少なくとも前後方向に転倒不能に係り合わせた状態で天板１上に載せ置かれるオプション部材７とを備え、オプション部材が、起立壁に沿って位置変更可能とされる。【選択図】図１
0003212826.tif 000002
【実用新案登録請求の範囲】
【請求項１】
天板と、前記天板を支持する脚を有し、
前記天板の縁に沿って延びる起立壁と、
前記起立壁に少なくとも前後方向に転倒不能に係り合わせた状態で前記天板上に載せ置かれるオプション部材とを備え、
前記オプション部材が、前記起立壁に沿って位置変更可能とされたことを特徴とするデスク。
【請求項２】
前記オプション部材は前記起立壁よりも高さ寸法が大きく、前記起立壁の上から係り合うものであることを特徴とする請求項１に記載のデスク。
【請求項３】
前記オプション部材には、前記起立壁の前面側から上部をまたがって裏面側に至る形状の前記起立壁を受け入れるスリットを有していることを特徴とする請求項２に記載のデスク。
【請求項４】
前記オプション部材の底面から前記スリット上面までの高さ寸法が、前記天板上の前記起立壁の高さ寸法とほぼ等しく、オプション部材の重心は前記スリット上面よりも低い位置にあるものであり、前記オプション部材を幅方向に傾けた際に前記オプション部材が転倒する前に前記スリット上面と前記起立壁の上縁面とが接触して、オプション部材が起立姿勢に復帰する請求項３に記載のデスク。
【請求項５】
前記オプション部材は、複数のものが前記起立壁に同時に係り合って、そのうち第１、第２のオプション部材の互いに対向する２つの面構成部は、前端部から起立壁までの奥行き寸法および上端部から天板までの高さ寸法がほぼ等しくなるように設定されている請求項１〜４の何れかに記載のデスク。
【請求項６】
前記起立壁の近傍において前記天板に、幅方向全域に亘って前記起立壁に平行に延びる溝を設けている請求項１〜５の何れかに記載のデスク。
【考案の詳細な説明】
【技術分野】
【０００１】
本考案は、学習用やオフィス用等として好適に利用されるデスクに関するものである。
【背景技術】
【０００２】
学習用のデスク装置としては、天板が複数本の脚で支持されたデスク本体の上に、本やノートを収納するための棚が固定して設置されるものが広く知られている。
【０００３】
このようなデスク装置は、棚の存在によって使い勝手が良くなる一方、頭上に棚が存在することによって使用者によっては圧迫感を感じ、天板上のスペースも狭くなってしまう。
【０００４】
そのため、天板及び天板を支持する複数本の脚を有するデスク本体と、前記脚の間に収容可能な棚本体、該棚本体から上方へ突出して設けられ、前記デスク本体の天板より高い位置まで延びる背面板、及び前記背面板における前記デスク本体の天板より高い位置から突出して設けられ、上下方向に延びる物品支持板、を有する棚と、を備えることを特徴とするデスク装置が提唱されている（例えば、特許文献１を参照）。
【先行技術文献】
【特許文献】
【０００５】
【特許文献１】特開２０１２−０２００４７号公報
【考案の概要】
【考案が解決しようとする課題】
【０００６】
しかしながら、かかるデスク装置は物品支持板を机でなく棚本体に固定して、物品支持板を天板上部に設置する構造であるために、棚本体を始めとしてデスク装置の構造が大掛かりで複雑化する問題があった。
【０００７】
また、物品支持板に代えてそれよりも重いオプション部材を棚本体に取り付けることも考えられるが、かかる構成ではオプション部材を背面板に片持ち的に取り付けるため、オプション部材の荷重を支持するうえで更に構造が複雑になるという問題があった。
【０００８】
また、奥行き位置を一定としたままで幅方向の配置位置が簡単に位置決めしにくく、反着座者縁側近傍に本等が位置していても移動時に背面板と天板のすきまから落下してしまう恐れがあった。
【０００９】
本考案は以上の課題に着目してなされたものであって、オプション部材の幅方向の配置位置が決めやすく、オプション部材が重いものでも適切に支持することができ、更に移動時に本等が天板から落下しないデスクを実現することを目的としている。
【課題を解決するための手段】
【００１０】
上記目的を解決するために、本考案は以下の手段を採用している。
【００１１】
すなわち本考案に係るデスクは、天板と、前記天板を支持する脚を有し、前記天板の縁に沿って延びる起立壁と、前記起立壁に少なくとも前後方向に転倒不能に係り合わせた状態で前記天板上に載せ置かれるオプション部材とを備え、前記オプション部材が、前記起立壁に沿って位置変更可能とされたことを特徴とする。
【００１２】
構成とすれば、オプション部材を起立壁に係り合わせているため奥行き位置を一定としたままで幅方向の配置位置が決めやすく、オプション部材を天板上に載せ置いているので重いものでも支持することができる。また、オプション部材を起立壁に係り合わせているため着座者と反対側の縁近傍に位置していても移動時に天板から落下しない。
【００１３】
オプション部材を着脱容易とするためには、前記オプション部材は前記起立壁よりも高さ寸法が大きく、前記起立壁の上から係り合うものであることが望ましい。
【００１４】
簡易な構造でオプション部材の前後方向への転倒を確実に防止するためには、前記オプション部材には、前記起立壁の前面側から上部をまたがって裏面側に至る形状の前記起立壁を受け入れるスリットを有していることが望ましい。
【００１５】
簡易な構造でオプション部材の幅方向への転倒を確実に防止するためには、前記オプション部材の底面から前記スリット上面までの高さ寸法が、前記天板上の前記起立壁の高さ寸法とほぼ等しく、オプション部材の重心は前記スリット上面よりも低い位置にあるものであり、前記オプション部材を幅方向に傾けた際に前記オプション部材が転倒する前に前記スリット上面と前記起立壁の上縁面とが接触して、オプション部材が起立姿勢に復帰するように構成することが望ましい。
【００１６】
オプション部材をブックエンドとして機能させるためには、前記オプション部材は、複数のものが前記起立壁に同時に係り合って、そのうち第１、第２のオプション部材の互いに対向する２つの面構成部は、前端部から起立壁までの奥行き寸法および上端部から天板までの高さ寸法がほぼ等しくなるように設定されていることが望ましい。
【００１７】
タブレットの使い勝手を高めるためには、前記起立壁の近傍において前記天板に、幅方向全域に亘って前記起立壁に平行に延びる溝を設けていることが望ましい。
【考案の効果】
【００１８】
本考案は、以上説明した構成であるから、オプション部材の種類によらず机上における好ましい位置に簡単かつ安定的に配置して使用できる、従来にはない使い勝手に優れたデスクを提供することができる。
【図面の簡単な説明】
【００１９】
【図１】本考案の実施形態に掛かるデスクの正面図。
【図２】同正面斜視図。
【図３】同オプション部材を取り付けた平面図。
【図４】同オプション部材を取り外した平面図。
【図５】同側面図。
【図６】同背面図。
【図７】同背面斜視図。
【考案を実施するための形態】
【００２０】
以下本考案の一実施形態について図面を参照して説明する。
【００２１】
このデスクＡは木製のもので、図１に示すように、平面矩形状の天板１を支持するために、四隅に４本の脚支柱２１〜２４を取り付けて脚２を構成している。脚支柱２１〜２４を補強するために、天板１の下部に配置した架材３１によって前後の脚支柱２１及び２２が連結され、架材３３によって前後の脚支柱２３及び２４が連結され、架材３２によって後部の脚支柱２２及び２３が連結されている。
【００２２】
また、着座者に近い着座縁側１１ｄの天板下部１ｂには引き出し５（５１、５２）が設けられている。引き出し５は天板１の左右側縁１１ａ及び１１ｃ付近に設置された図示しないレールにより保持され、幅方向すなわち左右方向（図１における±Ｘ方向）にスライドが可能である。尚、図２及び図７等に示すように、天板１の下方には側板８（８１、８２）を備えており、側板８１は前後の脚支柱２１及び２２と連結されており、側板８２は前後の脚支柱２３及び２４と連結されている。
【００２３】
また、図６等に示すように、着座者から遠い反着座縁側１１ｂの天板下部１ｂには背板４が設けられ、背板４は後部脚支柱２２及び２３に連結されている。
【００２４】
図１、図６に示すように、本実施形態では、天板１の反着座者縁１１ｂ側に、天板1の縁に沿って延びる板状の起立壁６を有している。起立壁６は天板１の背面側からビス６ａ等によって天板１の小口に固定されている。これにより起立壁６は天板１の垂直方向に起立した状態を保持される。
【００２５】
そして、図１に示すようにこの起立壁６にオプション部材７１、７２を着脱可能に取り付けている。オプション部材７１、７２は木製のもので、起立壁６に少なくとも前後方向（図５における±Ｙ方向）に転倒不能に係り合わせた状態で天板上面１ａに載せ置かれ、起立壁６に沿って位置変更可能とされる。
【００２６】
オプション部材７１は板状のもので、左右側面にブックエンドとして機能する面構成部７１ａ及び７１ｂを有している。オプション部材７２は直方体容器状のもので、左右側面にブックエンドとして機能する面構成部７２ａ及び７２ｂを有しながら、更に上部に開口部Ｓ１を有し、ペン立て等としての利用が可能とされている。図４に示すようにオプション部材７１、７２の高さ７１ｈ及び７２ｈは略等しい値に設定されている。
【００２７】
図４に示すように、オプション部材７１、７２の高さ寸法７１ｈ、７２ｈは起立壁６の高さ寸法６ｈより大きく、起立壁６の上から係り合い起立壁６の前面側から上部をまたがって裏面側に至る形状の起立壁６を受け入れる矩形状のスリット７１ｄ及び７２ｄを有している。
【００２８】
図４に示すように、オプション部材の底面からスリット上面までの高さ寸法７１ｅ及び７２ｅは、天板１の上面１ａから起立壁６の上縁面６ｂまでの高さ寸法６ｈとほぼ等しく、オプション部材７１及び７２の重心７１ｍ、７２ｍはスリット上面７１ｆ及び７２ｆよりも低い位置に設定されたものであり、オプション部材７１及び７２を図１に符号Ｒで示すように幅方向に傾けた際にオプション部材７１、７２が転倒する前にスリット上面７１ｆ及び７２ｆと起立壁の上縁面６ｂとが接触して、オプション部材７１及び７２の転倒が防止され、起立姿勢に復帰する。
【００２９】
図４に示すように、起立壁に係り合わせた状態で互いに対向するオプション部材７１、７２の面構成部７１ａ、７２ａは、前端部から起立壁６までの奥行き寸法７１Ｌ及び７２Ｌが略等しく、また上端部から天板１の上面１ａまでの高さ寸法７１ｈ及び７２ｈが略等しくなるように設定されている。
【００３０】
また、図３に示すように、オプション部材７２のスリット上部にくぼみＳ２を設けて、物品を収容するための収容量や種類を増加させている。
【００３１】
さらに、図４及び図５等に示すように、起立壁６の近傍において天板１に、幅方向全域に亘って起立壁６に平行に延びる溝Ｄを設けている。この溝Ｄは断面半円状ないし部分円弧状をなすもので、図示しないタブレット等を起立壁６に立て掛け、タブレットの下端を溝Ｄに係り合わせると、半円状の断面のうち前側の円弧部分がタブレットの下端を滑らないように支持する。この実施形態では、溝Ｄの前縁から起立壁６の前面までの距離Ｔよりも、オプション部材７１、７２の上記寸法７１Ｌ、７２Ｌの方が大きい関係に設定されている。
【００３２】
なお、図３等に符号９で示すものは木製の小物入れである。この小物入れ９は扁平なトレー状のもので、起立壁６とは係わらず、天板１の上面１ａにおける適宜位置に載せ置いて使用される。小物入れ９の奥行き寸法は上記寸法７１Ｌ、７２Ｌよりも小さいため、どこに置いても邪魔にならずに使用することができる。
【００３３】
以上のように本実施形態のデスクＡは、天板１と、天板１を支持する脚２を有し、天板の縁に沿って延びる起立壁６と、起立壁６に少なくとも前後方向に転倒不能に係り合わせた状態で天板１上に載せ置かれるオプション部材７とを備え、オプション７部材が、起立壁６に沿って位置変更可能とされたものである。
【００３４】
このような構成とすれば、オプション部材７１、７２を起立壁６に係り合わせているため奥行き位置を一定としたままで幅方向の配置位置が決めやすく、着座者はオプション部材７１、７２に手を添えて所望の位置に簡単にスライド移動させることができる。また、オプション部材７１、７２は天板１上に載せ置かれるので、例えばオプション部材７２に筆記具や文房具を収容することで重くなっても適切な支持状態を維持することができる。勿論、より重いオプション部材を用いる場合にも有効である。また、オプション部材７１、７２を起立壁６に係り合わせているため、オプション部材７１、７２が反着座縁１１ｂ近傍に位置していても、天板１を移動させる際に天板１と一体となって移動し、移動時に天板１から立て掛けた本等が落下する不具合が生じることもない。
【００３５】
この場合、図２に示すように、オプション部材７１及び７２は起立壁６よりも高さ寸法７１ｈ及び７２ｈが大きく、起立壁６の上から係り合うように構成されており、抜き取るときにも上方へ簡単に取り外すことができるので、着脱が極めて容易なものとなる。
【００３６】
特に、図４に示すように、オプション部材７には、起立壁６の前面側から上部をまたがって裏面側に至る形状の起立壁６を受け入れるスリット７１ｄ及び７２ｄを有しているので、オプション部材７のスリット７１ｄ、７２ｄを起立壁６に上から嵌め込むだけの簡易な構造で着脱できて、スリット７１ｄ、７２ｄが起立壁６に密着することにより確実に前後方向へのオプション部材７１、７２の転倒を防止することができる。また、ブックエンドとして機能するときは、本等の荷重を受けてオプション部材７１、７２に捩れ方向の荷重が掛かると、スリット７１ｄ、７２ｄが起立壁６に食い込むように密着するため、荷重を適切に支持できることになる。
【００３７】
また、図４に示すように、オプション部材７の底面からスリット上面までの高さ寸法７ｅが、天板１上の起立壁６の高さ寸法６ｈとほぼ等しく、オプション部材７の重心はスリット上面７１ｆ及び７２ｆよりも低い位置にあるものであり、オプション７部材を幅方向すなわち左右方向に傾けた際にオプション部材７が転倒する前にスリット上面７１ｆ及び７２ｆと起立壁の上縁面６ｂとが接触して、オプション部材７が起立姿勢に復帰するように構成されている。このため、オプション部材７が幅方向に転倒しようとするとスリット上面７１ｆ及び７２ｆと起立壁の上縁面６ｂが係り合い、オプション部材の下端上面７１ｉ及び７２ｉは天板１とも接触しているため、オプション部材７が幅狭であっても幅方向に転倒しにくい。また、スリット上面７１ｆ及び７２ｆよりもオプション部材７１及び７２の重心のほうが低いため、オプション部材７が幅狭であっても幅方向に転倒しにくく、ブックエンドとして、またペン立て等として適切に活用することができる。
【００３８】
また、図１に示すように、オプション部材７は、複数のものが起立壁６に同時に係り合って、そのうち互いに対向するオプション部材７１の面構成部７１ａ、７１ｂとオプション部材７２の面構成部７２ａ、７２ｂは、前端部から起立壁までの奥行き寸法７１Ｌ及び７２Ｌおよび上端部から天板までの高さ寸法が７１ｈ及び７２ｈがほぼ等しくなるように設定されている。このように、オプション部材７２は、ペン立て等の本来のオプション機能に加えてブックエンドとしても機能するため効果的であるとともに、両オプション部材７１、７２のブックエンドとしての機能が同等になるため、使い勝手が向上する。
【００３９】
また、図４に示すように、起立壁６の近傍において天板１に、幅方向全域に亘って起立壁６に平行に延びる溝Ｄを設けているので、タブレット等を起立壁６に立て掛け、タブレットの下端を溝Ｄに係り合わせることで、角度や奥行き位置を一定としたままで幅方向の適宜位置でタブレットを安定して利用することができる。この場合、オプション部材７が溝Ｄを塞ぐ位置関係となっても、オプション部材７が存在しない位置において起立壁６と溝Ｄを有効活用することができる。
【００４０】
以上、本考案の一実施形態について説明したが、各部の構成は上述した実施形態のみに限定されるものではなく、本考案の趣旨を逸脱しない範囲で種々変形が可能である。
【００４１】
例えば、ワイヤを面を囲むような形に成形してブックエンドとして機能させるように構成した場合には、ワイヤが本考案の面構成部に相当する。
【符号の説明】
【００４２】
Ａ…デスク
１…天板
２…脚
６…起立壁
６ｈ…起立壁の高さ寸法
６ｂ…起立壁の上縁面
７…オプション部材
７１ｈ…オプション部材の高さ寸法
７２ｈ…オプション部材の高さ寸法
７１ｄ…スリット
７２ｄ…スリット
７１ｆ…スリット上面
７２ｆ…スリット上面
７１ａ…面構成部
７１ｂ…面構成部
７２ａ…面構成部
７２ｂ…面構成部
７１ｅ…オプション部材の前端部から起立壁までの奥行き寸法
７２ｅ…オプション部材の前端部から起立壁までの奥行き寸法
Ｄ…溝
【図１】
0003212826.tif 000003
【図２】
0003212826.tif 000004
【図３】
0003212826.tif 000005
【図４】
0003212826.tif 000006
【図５】
0003212826.tif 000007
【図６】
0003212826.tif 000008
【図７】
0003212826.tif 000009